(57)【要約】【課題】近距離無線通信を用いて読み取られたデータを用いた多様な処理を可能にする。【解決手段】読み取り手段２１は、所定の規格に従ったアンテナとの距離が所定の範囲に近づくと、そのアンテナに接続されている無線タグに記憶されている情報を読み取る。実行手段２２は、複数の読み取り手段２１が記憶手段１１を読み取った順番（シーケンス）に応じた処理を実行する。【選択図】図１
2015052209.tif 000002
【特許請求の範囲】
【請求項１】
所定の周波数の電磁波を出力する出力手段と、
情報を記憶する記憶手段を有する装置が、前記出力手段から出力された電磁波を所定の強度以上の強度で受けたときに前記記憶手段に記憶されている情報を、当該電磁波に応答して前記所定の周波数の電磁波により送信してくると、当該電磁波により当該情報を読み取る２以上の読み取り手段と、
前記２以上の読み取り手段のなかから順次選択された読み取り手段が前記記憶手段に記憶されている情報を読み取る場合において、当該情報を読み取った読み取り手段の順番に応じて異なる処理を実行する実行手段と
を有する情報処理装置。
【請求項２】
前記実行手段は、前記情報を読み取った読み取り手段の順番と、当該読み取り手段が読み取った情報群の組に応じた処理を実行する
ことを特徴とする請求項１に記載の情報処理装置。
【請求項３】
前記情報を読み取った読み取り手段の順番が所定の条件を満たした場合、前記実行手段は、所定の処理を実行する
ことを特徴とする請求項１または２に記載の情報処理装置。
【請求項４】
前記所定の処理は、電気錠を施錠または開錠する処理を含む
ことを特徴とする請求項１ないし３のいずれか一項に記載の情報処理装置。
【請求項５】
所定の周波数の電磁波を出力する出力手段と、
情報を記憶する記憶手段と、前記出力手段から出力された電磁波を所定の強度以上の強度で受けたときに前記記憶手段に記憶されている情報を当該電磁波に応答して前記所定の周波数の電磁波により送信する送信手段とを各々有する複数の装置のうち一の装置から送信された当該電磁波により当該情報を読み取る読み取り手段と、
前記読み取り手段が前記複数の装置のなかから順次選択された装置から当該装置の前記記憶手段に記憶されている情報を読み取る場合において、当該情報の送信元の装置の順番に応じて異なる処理を実行する実行手段と
を有する情報処理装置。
【請求項６】
端末装置と、
情報処理装置と
を有し、
前記端末装置は、
自機の姿勢を検知する姿勢検知手段と、
前記姿勢検知手段により検知された姿勢を示す姿勢情報を記憶する記憶手段と、
所定の周波数の電磁波を所定の強度以上の強度で受けたときに前記記憶手段に記憶されている姿勢情報を、当該電磁波に応答して前記所定の周波数の電磁波により送信する送信手段と
を有し、
前記情報処理装置は、
前記所定の周波数の電磁波を出力する出力手段と、
前記端末装置から受けた前記電磁波により姿勢情報を読み取る２以上の読み取り手段と、
前記２以上の読み取り手段のなかから順次選択された読み取り手段が前記記憶手段に記憶されている姿勢情報を読み取る場合において、当該姿勢情報を読み取った読み取り手段の順番と、当該読み取り手段が読み取った姿勢情報群の組に応じて異なる処理を実行する実行手段と
を有する情報処理システム。
【発明の詳細な説明】
【技術分野】
【０００１】
本発明は、近距離無線通信を用いた技術に関する。
【背景技術】
【０００２】
無線タグに記録された情報を装置に読み取らせ、読み取った情報に応じた処理を行う装置が知られている。特許文献１は、楽器演奏の生徒の練習のモチベーションを高めるため、アクセサリに記録されたデータを読み取らせ、その情報に応じたご褒美情報およびレッスン情報に応じた表示を行う技術を開示している。特許文献２は、無線ＩＤタグを利用し、著作権保護されたコンテンツの販売システムを開示している。
【先行技術文献】
【特許文献】
【０００３】
【特許文献１】特開２００７−２６４４００号公報
【特許文献２】特開２００５−２４２７４４号公報
【発明の開示】
【発明が解決しようとする課題】
【０００４】
特許文献１および２に記載された技術においては、単に読み取られたデータを用いた処理が行われただけであった。
これに対し本発明は、近距離無線通信を用いて読み取られたデータを用いた多様な処理を可能にする技術を提供する。
【課題を解決するための手段】
【０００５】
本発明は、所定の周波数の電磁波を出力する出力手段と、情報を記憶する記憶手段を有する装置が、前記出力手段から出力された電磁波を所定の強度以上の強度で受けたときに前記記憶手段に記憶されている情報を、当該電磁波に応答して前記所定の周波数の電磁波により送信してくると、当該電磁波により当該情報を読み取る２以上の読み取り手段と、前記２以上の読み取り手段のなかから順次選択された読み取り手段が前記記憶手段に記憶されている情報を読み取る場合において、当該情報を読み取った読み取り手段の順番に応じて異なる処理を実行する実行手段とを有する情報処理装置を提供する。
【０００６】
前記実行手段は、前記情報を読み取った読み取り手段の順番と、当該読み取り手段が読み取った情報群の組に応じた処理を実行してもよい。
【０００７】
前記情報を読み取った読み取り手段の順番が所定の条件を満たした場合、前記実行手段は、所定の処理を実行してもよい。
【０００８】
前記所定の処理は、電気錠を施錠または開錠する処理を含んでもよい。
【０００９】
また、本発明は、所定の周波数の電磁波を出力する出力手段と、情報を記憶する記憶手段と、前記出力手段から出力された電磁波を所定の強度以上の強度で受けたときに前記記憶手段に記憶されている情報を当該電磁波に応答して前記所定の周波数の電磁波により送信する送信手段とを各々有する複数の装置のうち一の装置から送信された当該電磁波により当該情報を読み取る読み取り手段と、前記読み取り手段が前記複数の装置のなかから順次選択された装置から当該装置の前記記憶手段に記憶されている情報を読み取る場合において、当該情報の送信元の装置の順番に応じて異なる処理を実行する実行手段とを有する情報処理装置を提供する。
【００１０】
さらに、本発明は、端末装置と、情報処理装置とを有し、前記端末装置は、自機の姿勢を検知する姿勢検知手段と、前記姿勢検知手段により検知された姿勢を示す姿勢情報を記憶する記憶手段と、所定の周波数の電磁波を所定の強度以上の強度で受けたときに前記記憶手段に記憶されている姿勢情報を、当該電磁波に応答して前記所定の周波数の電磁波により送信する送信手段とを有し、前記情報処理装置は、所定の周波数の電磁波を出力する出力手段と、前記端末装置装置から受けた前記電磁波により姿勢情報を読み取る２以上の読み取り手段と、前記２以上の読み取り手段のなかから順次選択された読み取り手段が前記記憶手段に記憶されている姿勢情報を読み取る場合において、当該姿勢情報を読み取った読み取り手段の順番と、当該読み取り手段が読み取った姿勢情報の組み合わせとの組み合わせに応じて異なる処理を実行する実行手段とを有する情報処理システムを提供する。
【発明の効果】
【００１１】
本発明の一態様によれば、複数の読み取り手段が無線タグの情報を読み取った順番に応じて異なる処理を実行することができる。また、本発明の別の態様によれば、一の読み取り手段が複数の無線タグの情報を読み取った順番に応じて異なる処理を実行することができる。本発明のさらに別の態様によれば、姿勢情報を読み取った順番と、姿勢情報の組み合わせとの組み合わせに応じて異なる処理を実行することができる。
【図面の簡単な説明】
【００１２】
【図１】一実施形態に係る情報処理システム１の機能構成を示す図。
【図２】情報処理装置１０のハードウェア構成を示す図。
【図３】情報処理装置２０のハードウェア構成を示す図。
【図４】情報処理システム１の動作を示すフローチャート。
【図５】第２実施形態に係る情報処理システム２の機能構成を示す図。
【図６】情報処理システム２の動作を示すフローチャート。
【発明を実施するための形態】
【００１３】
１．第１実施形態
１−１．構成
図１は、第１実施形態に係る情報処理システム１の機能構成を示す図である。情報処理システム１は、情報処理装置１０と、情報処理装置２０とを有する。情報処理装置１０は、記憶手段を有する記憶装置の一例である。情報処理装置２０は、無線タグの読み取り手段を複数有する。情報処理システム１において、情報処理装置２０は、複数の読み取り手段が、情報処理装置１０の無線タグから情報を読み取った順番に応じた処理を行う。情報処理装置１０および情報処理装置２０は、それぞれ、以下の機能を有する。
【００１４】
情報処理装置１０は、記憶手段１１と、アンテナ１２とを有する。記憶手段１１は、近距離無線通信（すなわち非接触の通信）における所定の規格（例えばＮＦＣ（Near Field Communication））によって読み取られる情報を記憶する。アンテナ１２は、記憶手段１１に記憶されている情報を読み取り機に送信する。
【００１５】
情報処理装置２０は、複数の読み取り手段２１と、実行手段２２とを有する。図１においては、読み取り手段２１−１および読み取り手段２１−２の２つの読み取り手段が図示されている。以下、複数の読み取り手段２１の各々を区別するときはこのように添字を用い、区別しないときは単に読み取り手段２１と記載する。読み取り手段２１は、所定の規格に従ったアンテナ（この例ではアンテナ１２）との距離が所定の範囲（例えば１５ｃｍ程度）に近づくと、そのアンテナに接続されている無線タグ（この例では記憶手段１１）に記憶されている情報を読み取る。実行手段２２は、複数の読み取り手段２１が記憶手段１１を読み取った順番（シーケンス）に応じた処理を実行する。
【００１６】
図２は、情報処理装置１０のハードウェア構成を示す図である。情報処理装置１０は、ＣＰＵ（Central Processing Unit）１０１と、メモリ１０２と、表示部１０３と、入力部１０４と、姿勢センサ１０５と、、リーダー／ライターモジュール１０８ととを有する。ＣＰＵ１０１は、情報処理装置１０の各部を制御するプロセッサである。メモリ１０２は、プログラムおよびデータを記憶する記憶装置であり、揮発性の記憶装置および不揮発性の記憶装置を含む。この例で、メモリ１０２は、情報処理装置１０に図１に示した機能を実装するためのアプリケーションプログラムを記憶している。表示部１０３は、情報を表示する装置であり、例えば液晶ディスプレイおよび駆動回路を含む。入力部１０４は、ユーザからの指示をＣＰＵ１０１に入力する装置であり、例えば、タッチスクリーンまたはキーパッドを含む。姿勢センサ１０５は、情報処理装置１０の姿勢を測定し、測定結果を示す信号を出力するセンサであり、例えば、３軸地磁気センサ、３軸加速度センサ、およびジャイロセンサを含む。地磁気、加速度、および角度（角速度）により、装置の姿勢を知ることができる。リーダー／ライターモジュール１０８は、第１規格に従って他の装置とデータを読み書き（すなわち通信）する装置である。リーダー／ライターモジュール１０８は、メモリ１０８１と、プロセッサ１０８２と、アンテナ１０８３とを有する。メモリ１０８１は、第１規格に従って通信されるデータを記憶する装置である。アンテナ１０８３は、第１規格に従った電波を受信するアンテナである。プロセッサ１０８２は、第１規格に従った通信を制御する装置である。プロセッサ１０８２は、例えば、通信の相手装置が所定の距離まで近づくと、すなわち、アンテナ１０８３が受信した電波の強度が所定のしきい値を超えると、プロセッサ１０８２は、メモリ１０８１に記憶されているデータをアンテナ１０８３を介して相手装置に送信する。
【００１７】
図３は、情報処理装置２０のハードウェア構成を示す図である。情報処理装置２０は、ＣＰＵ２０１と、メモリ２０２と、表示部２０３と、入力部２０４と、サウンドモジュール２０７と、複数のリーダー／ライターモジュール２０８とを有する。ＣＰＵ２０１は、情報処理装置１０の各部を制御するプロセッサである。メモリ２０２は、プログラムおよびデータを記憶する記憶装置であり、揮発性の記憶装置および不揮発性の記憶装置を含む。この例で、メモリ２０２は、情報処理装置２０に図１に示した機能を実装するためのアプリケーションプログラムを記憶している。表示部２０３は、情報を表示する装置であり、例えば液晶ディスプレイおよび駆動回路を含む。入力部２０４は、ユーザからの指示をＣＰＵ２０１に入力する装置であり、例えば、タッチスクリーンまたはキーパッドを含む。サウンドモジュール２０７は、音を出力する装置であり、例えば信号処理回路、増幅器、およびスピーカを含む。リーダー／ライターモジュール２０８は、第１規格に従って他の装置とデータを読み書き（すなわち通信）する装置である。リーダー／ライターモジュール２０８は、メモリ２０８１と、プロセッサ２０８２と、アンテナ１２とを有する。メモリ２０８１は、第１規格に従って通信されるデータを記憶する装置である。アンテナ２０８３は、第１規格に従った電波を受信するアンテナである。プロセッサ２０８２は、第１規格に従った通信を制御する装置である。プロセッサ２０８２は、例えば、通信の相手装置が所定の距離まで近づくと、すなわち、アンテナ１２が受信した電波の強度が所定のしきい値を超えると、プロセッサ２０８２は、メモリ２０８１に記憶されているデータをアンテナ２８０３を介して相手装置に送信する。リーダー／ライターモジュール２０８の各々を区別するときは、リーダー／ライターモジュール２０８−１、リーダー／ライターモジュール２０８−２のように添字を用いて区別する。これらを区別しないときは単にリーダー／ライターモジュール２０８と表す。
【００１８】
上述のアプリケーションプログラムを実行しているＣＰＵ２０１は、実行手段２２の一例である。複数のリーダー／ライターモジュール２０８の各々は、読み取り手段２１の一例である。
【００１９】
１−２．動作
図４は、情報処理システム１の動作を示すフローチャートである。図４を参照し、情報処理システム１の、より具体的な動作例を説明する。ここでは、情報処理システム１が電気錠の施錠システムである例を説明する。情報処理装置１０は例えばスマートフォンである。記憶手段１１には、施錠および開錠に用いられる鍵情報が記憶されている。情報処理装置２０は、建物のドアの錠に接続されており、この錠を施錠および開錠する機能を有する。この例で、情報処理装置２０は９つのリーダー／ライターモジュール２０８を有する。この施錠システムは、９つのリーダー／ライターモジュール２０８に対して、記憶手段１１に記憶されている情報を正しい順番（以下、記憶手段１１を読み取らせる順番を「キーパターン」という）で読み取らせることにより施錠または開錠する。
【００２０】
ステップＳ１００において、ＣＰＵ２０１は、初期化処理を行う。初期化処理は、メモリ２０２に記憶されている、従前に記憶手段１１から読み取られたデータを消去する処理を含む。ステップＳ１０１において、ＣＰＵ２０１は、ユーザにキーパターンの入力を促すための通知を行う。この通知は、例えば、表示部２０３に画像を表示することにより行われる。ステップＳ１０２において、ＣＰＵ２０１は、記憶手段１１からの情報の読み取りの準備をする。例えば、ＣＰＵ２０１は、リーダー／ライターモジュール２０８に電力を供給させる制御をする。電力の供給を受けると、リーダー／ライターモジュール２０８は、アンテナから電磁波を発生させる。また、リーダー／ライターモジュール２０８は、無線タグに対する問い合わせを送信する。この状態で記憶手段１１がリーダー／ライターモジュール２０８に近づけられると、電磁誘導により、アンテナ１２を介して電力が発生する。この電力により、記憶手段１１内のプロセッサが起動する。起動したプロセッサは、リーダー／ライターモジュール２０８からの問い合わせに対する応答を、アンテナ１２を介して送信する。
【００２１】
記憶手段１１からの応答を受信すると、リーダー／ライターモジュール２０８は、記憶手段１１からデータを読み取る（ステップＳ１０３）。データ読み取りのプロトコルは規格により決められている。この例で、記憶手段１１から読み取られるデータは、情報処理装置１０のユーザの識別情報を含んでいる。
【００２２】
記憶手段１１からデータを読み取ると、リーダー／ライターモジュール２０８は、読み取ったデータに自身の識別情報を付加してＣＰＵ２０１に引き渡す。複数のリーダー／ライターモジュール２０８には、それぞれ固有の識別情報があらかじめ割り当てられている。リーダー／ライターモジュール２０８がデータを読み取ったことを検知すると、ＣＰＵ２０１は、その旨をユーザに通知してもよい。この通知は、例えば、サウンドモジュール２０７を介して所定の音を出力することにより行われる。
【００２３】
ステップＳ１０４において、ＣＰＵ２０１は、リーダー／ライターモジュール２０８からデータを受け取ったか判断する。リーダー／ライターモジュール２０８からデータを受け取ったと判断された場合（ステップＳ１０４：ＹＥＳ）、ＣＰＵ２０１は、受け取ったデータおよび識別情報をメモリ２０２に記憶する（ステップＳ１０５）。リーダー／ライターモジュール２０８からデータを受け取っていないと判断された場合（ステップＳ１０４：ＮＯ）、ＣＰＵ２０１は、リーダー／ライターモジュール２０８から次のデータを受け取るまで待機する。
【００２４】
ステップＳ１０６において、ＣＰＵ２０１は、所定の終了条件が満たされたか判断する。終了条件は、例えば、最後にリーダー／ライターモジュール２０８からデータを読み取ってから、所定の時間が経過したという条件である。終了条件が満たされたと判断された場合（ステップＳ１０６：ＹＥＳ）、ＣＰＵ２０１は、処理をステップＳ１０７に移行する。終了条件が満たされていないと判断された場合（ステップＳ１０６：ＮＯ）、ＣＰＵ２０１は、処理をステップＳ１０２に移行する。
【００２５】
ステップＳ１０７において、ＣＰＵ２０１は、メモリ２０２に記憶されているデータが所定の条件を満たすか判断する。メモリ２０２には、複数のリーダー／ライターモジュール２０８により読み取られたデータが、読み取られた順番で記憶されている。ステップＳ１０６においては、例えば以下の（ａ）および（ｂ）が満たされたか判断される。
（ａ）複数のデータがすべて同一のユーザの識別情報を示す。
（ｂ）複数のリーダー／ライターモジュール２０８がデータを読み取った順番が、あらかじめ決められた順番（参照用のキーパターンとしてメモリ２０２に記憶されている順番）と等しい。
【００２６】
所定の条件が満たされたと判断された場合（ステップＳ１０７：ＹＥＳ）、ＣＰＵ２０１は、所定の処理、この例では電気錠の開錠または施錠を行う（ステップＳ１０８）。条件が満たされていないと判断された場合（ステップＳ１０７：ＮＯ）、ＣＰＵ２０１は、キーパターンが間違っている旨をユーザに通知する（ステップＳ１０９）。
【００２７】
以上で説明したように、本実施形態によれば、記憶手段１１を搭載した装置を用いて、電気錠を施錠または開錠することができる。情報処理装置２０が単一のリーダー／ライターモジュール２０８しか有していない場合、本来の持ち主が紛失した情報処理装置１０を取得した悪意ある第三者が情報処理装置１０をリーダー／ライターモジュール２０８にかざすと、電気錠を施錠または開錠できてしまう。しかし、本実施形態に係る情報処理システム１によれば、たとえ悪意ある第三者が情報処理装置１０を入手したとしても、複数のリーダー／ライターモジュール２０８に対して正しい順番で読み取らせなければ、電気錠を施錠または開錠することができない。したがって、情報処理システム１によれば、電気錠のセキュリティを向上させることができる。
【００２８】
２．第２実施形態
図５は、第２実施形態に係る情報処理システム２の機能構成を示す図である。情報処理システム２は、複数の情報処理装置１０と、情報処理装置２０とを有する。図５では２台の情報処理装置１０が図示されている。２台の情報処理装置１０を区別するときは、情報処理装置１０Ａおよび情報処理装置１０Ｂのように添字が用いられる。情報処理装置１０の構成要素についても同様である。以下、第１実施形態と共通する事項についてはその説明を省略する。この例で、情報処理装置２０は、単一の読み取り手段２１を有する。情報処理システム２において、情報処理装置２０の実行手段２２は、読み取り手段２１が複数の情報処理装置１０から情報を読み取った順番に応じた処理を実行する。
【００２９】
図６は、情報処理システム２の動作を示すフローチャートである。ここでは、情報処理システム２が電子絵本システムである例を説明する。情報処理装置１０は例えばスマートフォンである。記憶手段１１には、電子絵本により提供される物語に登場するキャラクターを示す情報が記憶されている。この例では、記憶手段１１Ａおよび記憶手段１１Ｂには、それぞれ異なるキャラクターを示す情報が記憶されている。具体的には、記憶手段１１ＡにはキャラクターＣ１を示す情報が、記憶手段１１ＢにはキャラクターＣ２を示す情報が、それぞれ記憶されている。
【００３０】
ステップＳ２００において、ＣＰＵ２０１は、ユーザに情報の読み取りを促すための通知を行う。この通知は、例えば、表示部２０３に画像を表示することにより行われる。ステップＳ２０２において、ＣＰＵ２０１は、記憶手段１１からの情報の読み取りの準備をする。例えば、ＣＰＵ２０１は、リーダー／ライターモジュール２０８に電力を供給させる制御をする。電力の供給を受けると、リーダー／ライターモジュール２０８は、アンテナから電磁波を発生させる。また、リーダー／ライターモジュール２０８は、無線タグに対する問い合わせを送信する。この状態で記憶手段１１がリーダー／ライターモジュール２０８に近づけられると、電磁誘導により、アンテナ１２を介して電力が発生する。この電力により、記憶手段１１内のプロセッサが起動する。起動したプロセッサは、リーダー／ライターモジュール２０８からの問い合わせに対する応答を、アンテナ１２を介して送信する。
【００３１】
記憶手段１１からの応答を受信すると、リーダー／ライターモジュール２０８は、記憶手段１１からデータを読み取る（ステップＳ２０３）。データ読み取りのプロトコルは規格により決められている。この例で、記憶手段１１から読み取られるデータは、物語に登場するキャラクターを示す情報を含んでいる。記憶手段１１からデータを読み取ると、リーダー／ライターモジュール２０８は、読み取ったデータをＣＰＵ２０１に引き渡す。リーダー／ライターモジュール２０８がデータを読み取ったことを検知すると、ＣＰＵ２０１は、その旨をユーザに通知してもよい。この通知は、例えば、サウンドモジュール２０７を介して所定の音を出力することにより行われる。
【００３２】
ステップＳ２０４において、ＣＰＵ２０１は、リーダー／ライターモジュール２０８からデータを受け取ったか判断する。リーダー／ライターモジュール２０８からデータを受け取ったと判断された場合（ステップＳ２０４：ＹＥＳ）、ＣＰＵ２０１は、受け取ったデータおよび識別情報をメモリ２０２に記憶する（ステップＳ２０５）。リーダー／ライターモジュール２０８からデータを受け取っていないと判断された場合（ステップＳ２０４：ＮＯ）、ＣＰＵ２０１は、リーダー／ライターモジュール２０８から次のデータを受け取るまで待機する。
【００３３】
ステップＳ２０６において、ＣＰＵ２０１は、所定の終了条件が満たされたか判断する。終了条件は、例えば、所定数（この例では２つ）の情報処理装置１０からキャラクターを示す情報を読み取ったという条件である。終了条件が満たされたと判断された場合（ステップＳ２０６：ＹＥＳ）、ＣＰＵ２０１は、処理をステップＳ２０７に移行する。終了条件が満たされていないと判断された場合（ステップＳ２０６：ＮＯ）、ＣＰＵ２０１は、処理をステップＳ２０２に移行する。
【００３４】
ステップＳ２０７において、ＣＰＵ２０１は、メモリ２０２に記憶されているデータに応じた処理を行う。この例では、ＣＰＵ２０１は、キャラクターＣ１を示す情報とキャラクターＣ２を示す情報とが読み取られた順番に応じた処理を行う。すなわち、ＣＰＵ２０１は、キャラクターＣ１、キャラクターＣ２の順番で情報が読み取られた場合と、キャラクターＣ２、キャラクターＣ１の順番で情報が読み取られた場合とで異なる処理を実行する。
【００３５】
以上で説明したように、本実施形態によれば、例えば電子絵本システムにおいて、ユーザの操作に応じた多様なストーリー展開を提供することができる。なお、登場するキャラクターの数や情報読み取りが行われる回数を上記の例より増やすこにより、さらに多様なストーリー展開を提供することが可能である。
【００３６】
３．変形例
本発明は上述の実施形態に限定されるものではなく、種々の変形実施が可能である。以下、変形例をいくつか説明する。以下の変形例のうち２つ以上のものが組み合わせて用いられてもよい。
【００３７】
３−１．変形例１
第１実施形態において、情報処理システム１の具体例は施錠システムに限定されない。例えば、情報処理システム１は、電子絵本またはゲームシステムであってもよい。この場合、実行手段２２は、物語またはゲームの進行に応じた画面を、表示手段（表示部２０３等）に表示させる。実行手段２２は、複数の読み取り手段２１が記憶手段１１のデータを読み取った順番に応じて、物語またはゲームの進行を変化させる。すなわち実行手段２２は、情報を読み取った読み取り手段の順番と、その読み取り手段が読み取った情報群の組（セット、組み合わせ）に応じた処理を実行する。別の例で、情報処理システム１は、データの暗号化を行うシステムであってもよい。
【００３８】
３−２．変形例２
第１実施形態において、実行手段２２は、複数の読み取り手段２１が記憶手段１１のデータを読み取った順番に加え、記憶手段１１に記憶されているデータに応じた処理を実行してもよい。例えば、情報処理システム１が電子絵本またはゲームシステムである場合において、複数の読み取り手段２１に対して同じ順番で記憶手段１１を読み取らせても、記憶手段１１に記憶されている「Ａ」というデータが記憶されているときと「Ｂ」というデータが記憶されているときとで、処理を異ならせてもよい。例えば、「Ａ」というデータが記憶手段１１に記録された情報処理装置１０Ａと「Ｂ」というデータが記憶手段１１に記録された情報処理装置１０Ｂとがあった場合、物語またはゲームの進行上のある場面で、情報処理装置１０Ａを読み取らせるのか情報処理装置１０Ｂを読み取らせるのかに応じて物語またはゲームの進行を変化させることができる。さらにこの場合において、記憶手段１１に記録されているデータが物語またはゲームに登場するキャラクターを特定するデータであり、読み取らせた情報に応じたキャラクターが物語またはゲームに登場するように、物語またはゲームの進行が変更されてもよい。
【００３９】
３−３．変形例３
第１実施形態において、実行手段２２は、複数の読み取り手段２１が記憶手段１１のデータを読み取った順番に加え、姿勢センサ１０５により取得された情報処理装置１０の姿勢に応じた処理を実行してもよい。この場合、情報処理装置１０の姿勢を示すデータが記憶手段１１に書き込まれ、読み取り手段２１が読み取るデータには、情報処理装置１０の姿勢を示すデータが含まれる。
【００４０】
３−４．変形例４
第２実施形態において、情報処理システム２の具体例は電子絵本システムに限定されない。例えば、情報処理システム２は、施錠システムやデータ暗号化システムであってもよい。
【００４１】
３−５．変形例５
第１実施形態および第２実施形態において、情報処理装置１０に代わり、ＣＰＵ１０１を有さない無線タグ装置が用いられてもよい。
【００４２】
３−６．他の変形例
情報処理装置１０および情報処理装置２０の具体例は、実施形態で説明されたスマートフォンおよび施錠制御装置に限定されない。情報処理装置１０および情報処理装置２０は、それぞれ、楽器、または電子機器（パーソナルコンピュータ、携帯電話機、ＰＤＡ（Personal Digital Assistants）、タブレット端末、ゲーム装置、または家電など）であってもよい。また、無線タグ装置は、記憶手段１１およびアンテナ１２のみを有し、ＣＰＵ１０１、メモリ１０２、表示部１０３、入力部１０４、および姿勢センサ１０５を有していなくてもよい。すなわち、情報処理装置１０に代わり、記憶手段１１およびアンテナ１２を有するカード、人形等が無線タグ装置として用いられてもよい。
【符号の説明】
【００４３】
１…情報処理システム、１０…情報処理装置、１１…無線タグ、１２…アンテナ、２０…情報処理装置、２１…読み取り手段、２２…実行手段、１０１…ＣＰＵ、１０２…メモリ、１０３…表示部、１０４…入力部、１０５…姿勢センサ、１０８…リーダー／ライターモジュール、２０１…ＣＰＵ、２０２…メモリ、２０３…表示部、２０４…入力部、２０７…サウンドモジュール、１０８…リーダー／ライターモジュール
【図１】
2015052209.tif 000003
【図２】
2015052209.tif 000004
【図３】
2015052209.tif 000005
【図４】
2015052209.tif 000006
【図５】
2015052209.tif 000007
【図６】
2015052209.tif 000008